(57)【要約】【課題】  ゴルフクラブヘッドを提供する。【解決手段】  ゴルフクラブヘッドは、第１のスコアラインと、第１のスコアラインに隣接する第２のスコアラインとを含む複数のスコアラインを備える打撃面を有する。打撃面はまた、それぞれがスコアラインから離間した複数の補助溝を有する。第１の架空鉛直面において、第１の架空鉛直面と打撃面との間の第１の交線によって第１のパスが形成され、補助溝は、第１および第２のスコアライン間で測定した、０．１７以上の第１の占有率を有する。第２の架空鉛直面は、第１の架空面から水平方向に離間する。第２の架空鉛直面と打撃面との間の第２の交線によって、第２の架空鉛直面に第２のパスが形成される。第２の架空鉛直面内の補助溝は、第１および第２のスコアライン間で測定した、第１の占有率と異なる第２の占有率を有する。【選択図】      図１
2013043092.tif 000002
【特許請求の範囲】
【請求項１】
第１のスコアラインと、前記第１のスコアラインに隣接する第２のスコアラインとを含む複数のスコアラインと、
前記複数のスコアラインからそれぞれが離間した複数の補助溝と、
を有する打撃面を含むゴルフクラブヘッドであって、
基準位置にある場合に、
前記打撃面に対してほぼ垂直であり、前記第１および第２のスコアラインを通る第１の架空鉛直面において、第１のパスが、前記第１の架空鉛直面と前記打撃面との間の第１の交線によって形成され、前記複数の補助溝は、前記第１のスコアラインと前記第２のスコアラインとの間で測定した、０．１７以上の第１の占有率を有し、
前記打撃面に対してほぼ垂直であり、前記第１および第２のスコアラインを通る第２の架空鉛直面において、前記第２の架空鉛直面は、前記第１の架空面から水平方向に離間し、第２のパスが、前記第２の架空鉛直面と前記打撃面との間の第２の交線によって形成され、前記複数の補助溝は、前記第１のスコアラインと前記第２のスコアラインとの間で測定した第２の占有率を有し、前記第２の占有率は前記第１の占有率と異なる、ゴルフクラブヘッド。
【請求項２】
前記複数の補助溝のそれぞれは、１５μｍ以下の平均深さを有する、請求項１に記載のゴルフクラブヘッド。
【請求項３】
前記第１の架空鉛直面において、前記複数の補助溝は、前記第１および第２のスコアライン間で測定した、１．０溝／ｍｍ以上の出現頻度を有する、請求項１に記載のゴルフクラブヘッド。
【請求項４】
前記第１の架空鉛直面において、前記複数の補助溝は、前記第１および第２のスコアライン間で測定した、１．１０溝／ｍｍ以上の出現頻度を有する、請求項３に記載のゴルフクラブヘッド。
【請求項５】
前記第１の占有率は、０．２５以下である、請求項１に記載のゴルフクラブヘッド。
【請求項６】
前記複数の補助溝のそれぞれは、１．０ｍｍ以下の平均幅を有する、請求項１に記載のゴルフクラブヘッド。
【請求項７】
前記複数の補助溝のそれぞれは、０．５ｍｍ以下の平均幅を有する、請求項６に記載のゴルフクラブヘッド。
【請求項８】
前記複数の補助溝のそれぞれは、熱処理された要素を含む、請求項１に記載のゴルフクラブヘッド。
【請求項９】
前記打撃面は、媒体ブラストされたテクスチャ、レーザピーニングされたテクスチャ、フライス削りされたテクスチャ、化学エッチングされたテクスチャ、および微細フライス削りされたテクスチャからなる群から選択されるテクスチャで形成されたテクスチャ付き表面領域を含み、
前記複数の補助溝が、前記テクスチャ付き領域に少なくとも部分的に付加される、請求項１に記載のゴルフクラブヘッド。
【請求項１０】
基準位置に向きを合わされた場合に、
上部部分、および前記上部部分と反対側の底部部分と、
ヒール部分、および前記ヒール部分と反対側のトウ部分と、
前記ヒール部分から延びるホーゼルと、
打撃面と、
を含むゴルフクラブヘッドであって、前記打撃面は、
第１のスコアラインと、前記第１のスコアラインに隣接する第２のスコアラインとを含む複数のスコアラインと、
それぞれが前記複数のスコアラインから離間した複数のテクスチャ要素と、
それぞれが前記打撃面に対してほぼ垂直であり、それぞれが前記第１のスコアラインおよび前記第２のスコアラインを通り、水平方向に１０ｍｍだけ互いに離間した第１および第２の架空鉛直面と、
それぞれが前記打撃面に対してほぼ垂直であり、それぞれが前記第１のスコアラインおよび前記第２のスコアラインを通り、それぞれが前記第１の架空鉛直面および前記第２の架空鉛直面の両方に対してトウ側に配置され、水平方向に１０ｍｍだけ互いに離間した第３および第４の架空鉛直面と、
前記第１の架空面および前記第２の架空面によって範囲を限定された第１の領域であって、前記複数のテクスチャ要素が、前記第１のスコアラインと前記第２のスコアラインとの間で測定した平均占有率Ｃ1を有する第１の領域と、
前記第３の架空面および前記第４の架空面によって範囲を限定された第２の領域であって、前記複数のテクスチャ要素が、前記第１のスコアラインと前記第２のスコアラインとの間で測定した平均占有率Ｃ2を有し、比率Ｃ2／Ｃ1が０．８５以下である第２の領域と、
を含む、ゴルフクラブヘッド。
【請求項１１】
前記複数のテクスチャ要素のそれぞれは、１５μｍ以下の平均深さを有する、請求項１０に記載のゴルフクラブヘッド。
【請求項１２】
前記比率Ｃ2／Ｃ1は０．８０以下である、請求項１０に記載のゴルフクラブヘッド。
【請求項１３】
前記平均占有率Ｃ1は０．１８以上である、請求項１０に記載のゴルフクラブヘッド。
【請求項１４】
前記平均占有率Ｃ1は０．１８〜０．２５である、請求項１３に記載のゴルフクラブヘッド。
【請求項１５】
前記第１の領域において、前記複数のテクスチャ要素は、１．０要素／ｍｍ以上の出現頻度を含む、請求項１０に記載のゴルフクラブヘッド。
【請求項１６】
前記複数のテクスチャ要素のそれぞれは、１．０ｍｍ以下の平均幅を有する、請求項１０に記載のゴルフクラブヘッド。
【請求項１７】
前記複数のテクスチャ要素のそれぞれは、熱処理された要素を含む、請求項１０に記載のゴルフクラブヘッド。
【請求項１８】
前記打撃面は、媒体ブラストされたテクスチャ、レーザピーニングされたテクスチャ、フライス削りされたテクスチャ、化学エッチングされたテクスチャ、および微細フライス削りされたテクスチャからなる群から選択される第１のテクスチャで形成されたテクスチャ付き表面領域を含み、
前記複数のテクスチャ要素は、前記第１のテクスチャと異なる第２のテクスチャで形成され、前記複数のテクスチャ要素は、前記テクスチャ付き領域に少なくとも部分的に付加される、請求項１０に記載のゴルフクラブヘッド。
【請求項１９】
大地面を基準として基準位置に向きを合わされた場合に、
ヒール部分、および前記ヒール部分と反対側のトウ部分と、
前記ヒール部分から延びるホーゼルと、
打撃面と、
を含むゴルフクラブヘッドであって、前記打撃面は、
打撃面平面と、
フェースセンタと、
前記フェースセンタを含む中央領域と、
前記中央領域の外の周辺領域と、
少なくとも、第１のスコアラインと、前記第１のスコアラインに隣接する第２のスコアラインとを含み、前記中央領域および前記周辺領域に延びる複数のスコアラインと、
前記複数のスコアライン内に少なくとも部分的に散在し、前記中央領域および前記周辺領域に延びる複数の補助溝と、
を有する、ゴルフクラブヘッドにおいて、
前記中央領域において、前記複数の補助溝の１つまたは複数が、前記大地面を基準としてほぼ水平なパスをたどり、前記複数の補助溝は、前記第１のスコアラインと前記第２のスコアラインの間で０．１７以上の平均占有率を有し、
前記周辺領域において、前記複数の補助溝の１つまたは複数が、前記大地面を基準として水平でないパスをたどる、ゴルフクラブヘッド。
【請求項２０】
前記周辺領域おいて、前記複数の補助溝の１つまたは複数は、前記大地面に対して直線的に傾斜したパスをたどる、請求項１９に記載のゴルフクラブヘッド。
【請求項２１】
前記周辺領域において、前記複数の補助溝の１つまたは複数は、前記打撃面平面で測定して、前記大地面に対して５°〜２０°の角度で傾斜する、請求項２０に記載のゴルフヘッド。
【請求項２２】
前記複数の補助溝のそれぞれは、１５μｍ以下の平均深さを有する、請求項１９に記載のゴルフクラブヘッド。
【請求項２３】
前記平均占有率は、０．２５以下である、請求項１９に記載のゴルフクラブヘッド。
【請求項２４】
前記複数の補助溝のそれぞれは、１．０ｍｍ以下の平均幅を有する、請求項１９に記載のゴルフクラブヘッド。
【請求項２５】
前記複数の補助溝のそれぞれは、熱処理された要素を含む、請求項１９に記載のゴルフクラブヘッド。
【請求項２６】
大地面を基準として基準位置に向きを合わされた場合に、
ヒール部分、および前記ヒール部分と反対側のトウ部分と、
前記ヒール部分から延びるホーゼルと、
打撃面と、
を含むゴルフクラブヘッドであって、前記打撃面は、
打撃面平面と、
最もヒール側の伸長部、最もトウ側の伸長部、および前記最もヒール側の伸長部と前記最もトウ側の伸長部との間の水平距離である幅Ｗを有し、少なくとも、第１のスコアラインと、前記第１のスコアラインに隣接する第２のスコアラインとを含む複数のスコアラインと、
前記複数のスコアラインの範囲内に少なくとも部分的に散在する複数の補助溝と、
前記打撃面平面に対して垂直であり、前記複数のスコアラインの前記最もヒール側の伸長部を通る第１の架空鉛直面と、
前記第１の架空鉛直面に対して平行であり、前記複数のスコアラインの前記最もトウ側の伸長部を通る第２の架空鉛直面と、
前記第１の架空鉛直面に対して平行であり、前記第１の架空鉛直面と前記第２の架空鉛直面との間で等距離にある第３の架空鉛直面と、
前記第１の架空鉛直面に対して平行であり、前記第３の架空鉛直面から前記最もヒール側の伸長部に向かって、０．１０＊Ｗ〜４．４５＊Ｗである距離Ｄだけ離間する第４の架空鉛直面と、
前記第１の架空鉛直面に対して平行であり、前記第３の架空鉛直面から前記最もトウ側の伸長部に向かって距離Ｄだけ離間した第５の架空鉛直面と、
前記第４の架空鉛直面および前記第５の架空鉛直面によって範囲を限定された中央領域と、
前記第１の架空鉛直面および前記第４の架空鉛直面によって範囲を限定されたヒール領域と、
前記第２の架空鉛直面および前記第５の架空鉛直面によって範囲を限定されたトウ領域と、
を有する、ゴルフクラブヘッドにおいて、
前記中央領域において、前記複数の補助溝の１つまたは複数は、前記大地面を基準としてほぼ水平なパスをたどり、前記複数の補助溝は、前記第１のスコアラインと前記第２のスコアラインの間で測定した、０．１７以上の占有率を有し、
前記ヒール領域および前記トウ領域の少なくとも一方において、前記複数の補助溝の１つまたは複数は、前記大地面を基準として水平でないパスをたどる、ゴルフクラブヘッド。
【請求項２７】
大地面を基準として基準位置に向きを合わされた場合に、
ヒール部分、および前記ヒール部分と反対側のトウ部分と、
前記ヒール部分から延びるホーゼルと、
打撃面と、
を含むゴルフクラブヘッドであって、前記打撃面は、
前記打撃面と概ね同一平面上にある打撃面平面と、
少なくとも、第１のスコアラインと、前記第１のスコアラインに隣接する第２のスコアラインとを含む複数のスコアラインと、
を有する、ゴルフクラブヘッドにおいて、
１つまたは複数の第１の補助溝が、前記複数のスコアライン間に散在し、かつ前記複数のスコアラインから完全に離間し、前記大地面を基準として、前記打撃面平面で測定して、水平面に対して５°〜５０°の角度で上向きに傾斜するパスをたどり、
１つまたは複数の第２の補助溝が、前記複数のスコアライン間に散在し、かつ前記複数のスコアラインから完全に離間し、前記大地面を基準として、前記打撃面平面で測定して、水平面に対して５°〜５０°の角度で下向きに傾斜するパスをたどる、ゴルフクラブヘッド。
【発明の詳細な説明】
【技術分野】
【０００１】
本発明は、ゴルフクラブヘッドに関する。
（著作権委任）
以下の開示は著作権保護の対象となり得る。著作権所有者は、特許庁に記録が残る場合、この開示を含む文献の、何人による複製にも異議を唱えないが、それ以外については、適用可能なすべての著作権を保有する。
【背景技術】
【０００２】
ゴルフクラブの製造における一般的な要望は、打ったボールに大きなスピンを付与する打撃面を有するクラブヘッドを製造することである。特に、アイアンタイプおよびユーティリティタイプのゴルフクラブヘッドは通常、複数の溝またはスコアラインを有する打撃面を含む。そのようなスコアラインは、少なくとも、水および細片を溝で排出し、打撃面とゴルフボールとの間の摩擦を改善することで、ゴルフボールにスピンを付与するのに寄与する。しかし、打ったゴルフボールにかかるスピンを強くするスコアラインの能力は、スコアライン幾何形状を規定するＵＳＧＡ規定によってある程度制限されている。さらに、従来のスコアラインは、打撃面とゴルフボールとの間の低い動的相互作用特性に対処することができない。
【０００３】
打撃面のスピンを付与する能力をさらに改善するために、従来のクラブヘッドは、スコアラインに加えて、またはそれに代えて、低スケールの表面テクスチャを設けた。しかし、そのような表面テクスチャは、エラストマーをコーティングしたゴルフボールと金属製の打撃面との間の特有の相互作用に適合しない傾向がある。さらに、従来の表面テクスチャは急激に摩耗しやすく、製造するのにコストがかかりやすい。
【０００４】
また、一般的な打撃面の表面テクスチャは通常、ゴルファーが試みることができる様々なゴルフショットタイプのそれぞれに対して高いスピンを可能にする効果がない。例えば、ゴルファーが従来のクラブヘッドを使用して、特定のスイング速度で打ったゴルフボールは、ゴルファーがクラブフェースをオープンにして、すなわち、「フロップショット」でショットを試みた場合に、クラブヘッドをスクエアにしてアドレスする通常のゴルフショットと比較して、ボールのスピンが通常弱くなる。
【発明の概要】
【発明が解決しようとする課題】
【０００５】
本発明の特定の実施形態は、その１つまたは複数の態様において、有利にも、スピン生成の改善、プレイヤーの自信の強化、およびゴルフクラブのプレイ性の向上を実現するゴルフクラブヘッドを含むことができる。
【課題を解決するための手段】
【０００６】
様々な実施形態によれば、ゴルフクラブヘッドは、第１のスコアライン、および第１のスコアラインに隣接する第２のスコアラインを含む複数のスコアラインと、それぞれが複数のスコアラインから離間した複数の補助溝とを有する打撃面を含む。クラブヘッドが基準位置にある場合に、打撃面に対してほぼ垂直であり、第１および第２のスコアラインを通る第１の架空鉛直面において、第１のパスが、第１の架空鉛直面と打撃面との間の第１の交線によって形成される。複数の補助溝は、第１のスコアラインと第２のスコアラインとの間で測定した、０．１７以上の第１の占有率を有する。打撃面に対してほぼ垂直であり、第１および第２のスコアラインを通る第２の架空鉛直面において、第２の架空鉛直面は、第１の架空面から水平方向に離間し、第２のパスが、第２の架空鉛直面と打撃面との
間の第２の交線によって形成され、複数の補助溝は、第１のスコアラインと第２のスコアラインとの間で測定した第２の占有率を有する。第２の占有率は、第１の占有率と異なる。
【０００７】
様々な実施形態によれば、ゴルフクラブヘッドは、基準位置に向きを合わされた場合に、上部部分および上部部分と反対側の底部部分と、ヒール部分およびヒール部分と反対側のトウ部分と、ヒール部分から延びるホーゼルと、打撃面とを含む。打撃面は、第１のスコアラインおよび第１のスコアラインに隣接する第２のスコアラインを含む複数のスコアラインと、それぞれが複数のスコアラインから離間した複数のテクスチャ要素とを有する。それぞれが打撃面に対してほぼ垂直であり、それぞれが第１および第２のスコアラインを通る第１および第２の架空鉛直面は、水平方向に１０ｍｍだけ互いに離間する。それぞれが打撃面に対してほぼ垂直であり、それぞれが第１および第２のスコアラインを通る第３および第４の架空鉛直面は、それぞれ第１および第２の架空鉛直面の両方に対してトウ側に配置され、水平方向に１０ｍｍだけ互いに離間する。第１の領域は、第１の架空面および第２の架空面によって範囲を限定され、第１の領域では、複数のテクスチャ要素が、第１および第２のスコアライン間で測定した平均占有率Ｃ１を有する。第２の領域は、第３の架空面および第４の架空面によって範囲を限定され、第２の領域では、複数のテクスチャ要素が、第１および第２のスコアライン間で測定した平均占有率Ｃ２を有する。比率Ｃ２／Ｃ１は０．８５以下である。
【０００８】
様々な実施形態によれば、ゴルフクラブヘッドは、大地面を基準とする基準位置に向きを合わされた場合に、ヒール部分およびヒール部分と反対側のトウ部分と、ヒール部分から延びるホーゼルと、打撃面とを含む。打撃面は、打撃面平面、フェースセンタ、フェースセンタを含む中央領域、中央領域の外の周辺領域、および少なくとも、第１のスコアラインと第１のスコアラインに隣接する第２のスコアラインとを含む複数のスコアラインを有する。複数のスコアラインは、中央領域および周辺領域に延びる。打撃面はまた、複数のスコアラインの範囲内に少なくとも部分的に散在する複数の補助溝を有する。複数の補助溝は、中央領域および周辺領域に延びる。中央領域では、複数の補助溝の１つまたは複数が、大地面を基準としてほぼ水平なパスをたどり、複数の補助溝は、第１のスコアラインと第２のスコアラインとの間で０．１７以上の平均占有率を有する。周辺領域では、複数の補助溝の１つまたは複数が、大地面を基準として水平でないパスをたどる。
【０００９】
様々な実施形態によれば、ゴルフクラブヘッドは、大地面を基準とした基準位置に向きを合わされた場合に、ヒール部分およびヒール部分と反対側のトウ部分と、ヒール部分から延びるホーゼルと、打撃面とを含む。打撃面は、打撃面平面と、最もヒール側の伸長部、最もトウ側の伸長部、および最もヒール側の伸長部と最もトウ側の伸長部との間の水平距離である幅Ｗを有する複数のスコアラインとを有する。複数のスコアラインは、少なくとも、第１のスコアライン、および第１のスコアラインに隣接する第２のスコアラインを含む。複数の補助溝は、複数のスコアラインの範囲内に少なくとも部分的に散在する。打撃面平面に対して垂直な第１の架空鉛直面は、複数のスコアラインの最もヒール側の伸長部を通る。第１の架空鉛直面に対して平行な第２の架空鉛直面は、複数のスコアラインの最もトウ側の伸長部を通る。第３の架空鉛直面は、第１の架空鉛直面に対して平行であり、第１の架空鉛直面と第２の架空鉛直面との間で等距離にある。第４の架空鉛直面は、第１の架空鉛直面に対して平行であり、第３の架空鉛直面から最もヒール側の伸長部に向かって距離Ｄだけ離間し、距離Ｄは、０．１０＊Ｗ〜４．４５＊Ｗである。第５の架空鉛直面は、第１の架空鉛直面に対して平行であり、第３の架空鉛直面から最もトウ側の伸長部に向かって距離Ｄだけ離間する。中央領域は、第４および第５の架空鉛直面によって範囲を限定される。ヒール領域は、第１および第４の架空鉛直面によって範囲を限定される。トウ領域は、第２および第５の架空鉛直面によって範囲を限定される。中央領域では、複数の補助溝の１つまたは複数が、大地面を基準としてほぼ水平なパスをたどり、複数の補
助溝は、第１のスコアラインと第２のスコアラインの間で測定した、０．１７以上の占有率を有する。さらに、ヒール領域およびトウ領域の少なくとも一方では、複数の補助溝の１つまたは複数が、大地面を基準として水平でないパスをたどる。
【００１０】
下記に詳細に説明する各種実施例の一つまたは複数によって提示されるような、様々な態様の本発明によるゴルフクラブヘッドのこれらのおよび他の特徴および利点が、下記の説明、添付図面、および添付の特許請求の範囲を検討した後に明らかになるであろう。添付図面は単に例示を目的としており、本発明の範囲を限定することを意図されていない。
【００１１】
本発明は、その１つまたは複数の態様において、添付図面の図に一例として示されるのであって、限定する目的で示されるのではない。
【図面の簡単な説明】
【００１２】
【図１】様々な実施形態によるゴルフクラブヘッドの正面図である。
【図１ａ】トウ側の側面図である。
【図２】さらなる細部を示す、図１のゴルフクラブヘッドの正面図である。
【図２ａ】図２ａの上図（１）は、図２のＡ−Ａ’架空面でのトウ側の断面図である。図２ａの下図（２）は、図２のＡ−Ａ’架空面でのトウ側の拡大断面図である。
【図２ｂ】図２ｂの上図（１）は、図２のＢ−Ｂ’架空面でのトウ側の断面図である。図２ｂの下図（２）は、図２のＢ−Ｂ’架空面でのトウ側の拡大断面図である。
【図３】打撃面平面が紙面内にある、図２によるゴルフクラブヘッドの図である。
【図３ａ】図３のゴルフクラブヘッドの部分詳細図である。
【図３ｂ】図３ｂの上図は、図３ａのゴルフクラブヘッドの部分詳細図である。図３ｂの下図（１）は、図３ｂの上図のＣ−Ｃ’架空面でのトウ側の断面図である。
【図３ｃ】図３ｃの上図は、図３ａのゴルフクラブヘッドの部分詳細図である。図３ｃの下図（１）は、図３ｃの上図のＤ−Ｄ’架空面でのトウ側の断面図である。
【図４】打撃面平面が紙面内にある、図３のゴルフクラブヘッドの正面図である。
【図５】打撃面平面が紙面内にある、様々な実施形態によるゴルフクラブの正面図である。
【発明を実施するための形態】
【００１３】
説明のために、これらの図は必ずしも一定の縮尺で描かれていない。すべての図において、同じまたは同様の要素は同じ参照数字で示されている。
【００１４】
以下に開示する、本発明によるゴルフクラブヘッドの１つまたは複数の新規でかつ非自明の態様および特徴の代表例は、いかなる態様でも限定することを意図されるものではない。さらに、本発明の種々の態様および特徴は、単独で、または新規で非自明の、様々な互いの組み合わせおよび部分的組み合わせで使用することができる。
【００１５】
アイアンタイプおよびユーティリティタイプのゴルフクラブヘッドは通常、ゴルフボールと接し、これを打撃する打撃面を含む。ゴルフボールにスピンを付与するのに寄与するために、複数の溝またはスコアラインが打撃面に設けられている。フェースの一部は、スコアラインの範囲を越えて広がる、様々なタイプの表面処理がなされた領域を有することができる。従来から、スコアラインの向きは、打撃面がターゲットラインに対してゴルフボールをスクエアにインパクトする場合に、スピンが最大になるようにされる。しかし、打撃面の向きがターゲットラインから外れた場合、例えば、ゴルファーが、クラブヘッドのフェースをオープンにして「フロップショット」を試みた場合に、スピン生成およびプレイ性が低下する。
【００１６】
打撃面は、プレイ性を高めるために選択的にテクスチャを形成される。ボールと接触す
るフェース上の点、ならびに接触経路の向きおよび位置は、行われる特定のゴルフショットに応じて変わる。ボールがフェアウエイにあり、ゴルファーが「通常の」スイングをする場合、ゴルファーは、クラブフェースの下側部分、典型的にはクラブフェースの下側中央部分でボールと接触させようとする。そのような場合に、結果として得られる、打撃面に沿ったボールの接触経路は、下記に定義するような、大地面を基準とした基準位置でクラブヘッドを見た場合に実質的に鉛直であり、打撃面の中央に位置する。フロップショットの場合、ゴルファーは、クラブフェースを大きくオープンにし、その結果として、接触点位置および角度方向が変わる。他のタイプのショットにフェースのさらに別の部分を使用することができ、例えば、ゴルファーによっては、トウがプレイ用地表面の方を向いた状態で、フェースの一番外側のトウ部分をチップショット用のボール接触点として使用するものもいる。したがって、フェースには、ゴルファーが行うことができる様々なタイプのショットのそれぞれを改善するために、様々なテクスチャを形成することができる。
【００１７】
全米ゴルフ協会（ＵＳＧＡ）は、米国内でのゴルフを管理するＲｕｌｅｓ  ｏｆ  Ｇｏｌｆを発行および維持している。ＵＳＧＡルールのＡｐｐｅｎｄｉｘ  ＩＩは、ゴルフクラブに対するいくつかの制限を規定している。例えば、現在のところ、溝の幅は０．０３５インチを超えることができず、溝の深さは０．０２０インチを超えることができず、インパクトが意図される領域内の表面粗さは、装飾サンドブラストまたは微細フライス削りの粗さを超えてはならない。米国以外のゴルフのルールの管理機関であるＴｈｅ  Ｒｏｙａｌ  ａｎｄ  Ａｎｃｉｅｎｔ  Ｇｏｌｆ  Ｃｌｕｂ  ｏｆ  Ｓｔ  Ａｎｄｒｅｗｓは、現在のところ、ゴルフクラブの構造に対して同様な制限を規定している。
【００１８】
本発明の特定の実施形態は、その１つまたは複数の態様において、有利にも、複数の補助溝、および／またはテクスチャ要素をゴルフクラブヘッドの打撃面に組み入れることによって、スピン生成の改善、プレイヤーの自信の強化、およびゴルフクラブのプレイ性の向上を実現したゴルフクラブヘッドを含むことができる。
【００１９】
１つまたは複数の実施形態では、および図１〜図１ａに例として示すように、ゴルフクラブヘッド１００には、アイアンタイプのゴルフクラブヘッドが含まれる。ゴルフクラブヘッド１００がアイアンタイプのゴルフクラブヘッドとして図示され、ウエッジとしての従来の使用法に関連して説明されるが、ただし、ゴルフクラブヘッド１００は、アイアンタイプ、パタータイプ、ウッドタイプ、ハイブリッドタイプなどのゴルフクラブヘッドの任意のものとすることができることに留意されたい。さらに、ゴルフクラブヘッド１００が、右利き用のゴルフクラブヘッドであるとして図示されているが、ゴルフクラブヘッド１００上の任意の位置についての任意の言及が、左利き用のゴルフクラブヘッドに反映および適用されることに留意されたい。
【００２０】
図１を参照すると、ゴルフクラブヘッド１００は、トウ部分１０１、ヒール部分１０３、上部部分１０５、底部部分１０７、およびヒール部分１０３に最も近いゴルフクラブヘッドから延びる、シャフト（図示せず）を受け入れるホーゼル１０９を有する。ホーゼル１０９は、ホーゼル１０９の直径断面の中心点を通るホーゼル中心線１１０を有する。ホーゼル１０９はまた、通常、ゴルフクラブヘッド１００に関して任意の形状または位置をとることができる。この応用例の図は、ホーゼル１０９を有するゴルフクラブヘッド１００を示しているが、ゴルフクラブヘッド１００は、図示したホーゼル１０９の代わりに、単にシャフト受け入れ領域、例えば、開孔を有し、「ホーゼルなし」とすることができる。
【００２１】
ゴルフクラブヘッド１００はまた、ゴルフボールを打撃する打撃面１１１を有する。打撃面１１１は、複数のスコアライン１１３と、スコアライン１１３間に散在し、一部の実施形態では、それに代えて、またはそれに加えて、スコアライン１１３が通常占有する領
域の外に配置される複数の補助溝１１５とを有する。打撃面１１１と接触するゴルフボールにスピンを付与するのに寄与するために、複数のスコアライン１１３が打撃面１１１に設けられている。スコアラインは、例えば、フライス削り、必要に応じて、スピンミリング（ｓｐｉｎ−ｍｉｌｌｉｎｇ）で機械切削することができるし、または鍛造、スタンピング、圧延、プレス加工、もしくは鋳造することができる。１つまたは複数の実施形態では、複数の補助溝１１５は、スコアライン伸長部間に延びる様々なタイプの表面処理である。一部の実施形態では、補助溝１１５は、打撃面１１１をトウ部分１０１からヒール部分１０３まで横断したときに、それに加えて、またはそれに代えて、打撃面１１１を上部部分１０５から底部部分１０７まで横断したときに、スコアライン１１３間での占有率および／または向きが変わる。打撃面は通常、架空の打撃面平面１１２内にある（図１ａを参照のこと）。例えば、打撃面１１１は、平面であるか、テクスチャを形成されるか、スコアライン、溝を含むか、または若干の湾曲、例えば、大きな曲率半径の膨らみ、および／もしくは起伏を有することができる。
【００２２】
従来から、スコアライン１１３の向きは、「通常の」ショット時に、打撃面１１１が、基準位置に対して、または、言い換えると、ターゲットラインに対して、ゴルフボールにスクエアにインパクトしたときに、スピンが最大限になるようにされる。しかし、補助溝を全く有さない従来のゴルフクラブヘッドの打撃面の向きが基準位置から外れた場合、スピン生成およびプレイ性が低下する。
【００２３】
図１に示すゴルフクラブヘッド１００は基準位置にある。本明細書において、「基準位置」という用語は、ホーゼル中心線、例えば、ホーゼル中心線１１０が、大地面１０２を基準として架空鉛直ホーゼル面１０４にあり、スコアライン１１３が、大地面１０２に対して全体的に平行に延びるゴルフクラブヘッド、例えば、クラブヘッド１００の位置を指す。水平の、または鉛直の、という用語は、別途指定がない限り、大地面を基準として基準位置にあるゴルフクラブヘッドに関して指示するものである。
【００２４】
一部の実施形態では、例えば、図１に示すように、補助溝１１５は、ゴルフクラブヘッド１００が、基準位置から外れた方向に向けられた場合に、スピン性能、およびプレイヤーの自信を高めるために、打撃面１１１全体にわたって向きおよび占有率が変わる。補助溝１１５を含んでいないゴルフクラブヘッド１００、および補助溝１１５を含むゴルフクラブヘッド１００のそれぞれが基準位置から外れた場合に、これらのゴルフクラブヘッド間で、スピン生成が増加することにより、生成されるスピンを全体的に増やすことができ、かつ／または失われるスピン量を少なくすることができる。
【００２５】
１つまたは複数の実施形態では、打撃面１１１が研磨され、ニッケル層が加えられ、打撃面１１１がサンドブラストにかけられ、第２のニッケル層が加えられ、次いで、補助溝１１５が形成される。加工ステップおよび材料のこの組み合わせにより、補助溝１１５の色調と打撃面１１１との間に美的に魅力のあるコントラストが生まれる。一部の実施形態では、最終のニッケルコーティング工程の結果、暗色または黒色の仕上がりとなり、コントラストをさらに強くする。さらに、そのようなコントラストにより、補助溝の視認性が高くなり、一部の実施形態では、クラブヘッドをゴルフボールと整列させるゴルファーの能力が高まる。
【００２６】
好ましくは、補助溝１１５を形成する前に、代替の、または追加の仕上げ工程をクラブヘッド１００の打撃面１１１に適用することができる。例えば、補助溝１１５は、微細フライス削りされた、媒体ブラストされた、化学エッチングされた、スタンピングされた、鍛造された、レーザピーニングされた、研磨されていない、他の金属層を有する、酸化膜で覆われた、サンドブラストされていない等の打撃面１１１に付加することができる。さらなる実施形態は、鋳造、フライス削り、機械切削、鍛造、表面焼入れ、めっき、媒体ブ
ラスト、陽極酸化処理などにかけられた基材と組み合わせて、微細表面テクスチャを組み入れることができる。材料、形態、表面テクスチャ、積層材などを変えることで、補助溝１１５との魅力的なコントラストを生み出す美的効果を得ることができ、アライメントを手助けするモアレパターンを発生させ、より大きなスケールの粗さ曲線を形成し、水／細片を溝で排出するのに寄与し、性能および／またはプレイヤーがゴルフショット時に受け取るフィードバックの量を変えることができる。
【００２７】
補助溝１１５は、１つまたは複数の実施形態では、高温レーザによって形成されたテクスチャとしての窪みであり、高温レーザは、打撃面の表面を局所的に軟化させて、窪みと、窪みを囲む通常粗面化される領域とを形成し、別途「レーザミリング」として公知である。一部の実施形態では、そのようなレーザミリングによる熱により、レーザミリングが当たる領域で打撃面１１１が処理され、その結果として、より耐久性のある表面と、機械式のフライス削り／機械切削よりも狭い寸法公差とが得られる。レーザミリングに代えて、またはレーザミリングに加えて、補助溝１１５は、化学エッチング、媒体ブラスト、フライス削り、微細フライス削り、クロスミリング（ｃｒｏｓｓ−ｍｉｌｌｉｎｇ）、スタンピングなどによって形成することができる。
【００２８】
レーザミリングは比較的非侵入的である。言い換えると、レーザミリングは非常に浅いので、打撃面１１１の構造上の完全性に悪影響を及ぼすことがない。したがって、打撃面を厚くする必要はない。さらに、補助溝１１５を形成するレーザミリング手法は通常、応力集中の発生を回避し、清浄かつ正確である。この正確さにより、フライス削りなどの他の加工と比べた場合に、廃棄物が最小限になり、清浄性が増す。したがって、レーザミリングはコスト効率がよい。さらに、レーザミリングは、スコアライン１１３の構造を阻害することなく適用することができ、場合によっては、後研磨をあまり必要とせず、それにより、さらに、機械をほとんど摩耗させることなく、高度なスピン面を低コストでもたらす。
【００２９】
補助溝１１５は、影響を受けた打撃面１１１の領域の色調を変えて、魅力的なコントラストを生み出す。このコントラストにより、スコアライン１１３の視認性が高まり、ゴルフクラブヘッド１００をゴルフボールと適切に整列させるゴルファーの能力が高まり、それによって、ゴルフクラブヘッド１００に対するプレイヤーの認識を改善し、ゴルフショットを成功させる自身の能力に対するプレイヤーの自信を高める。
【００３０】
図２を参照すると、図１のクラブヘッド１００がさらに詳細に示されている。打撃面１１１は、複数のスコアライン１１３と、スコアライン１１３間に散在する補助溝１１５とを含む。上記のように、一部の実施形態では、補助溝は、スコアラインが通常占有する領域の外に延びる。複数のスコアライン１１３は、最もヒール側の伸長部１５２、最もトウ側の伸長部１５４、最上の伸長部１５６、および最下の伸長部１５８を含む。打撃面１１１はフェースセンタ１１７を含む。本明細書に示す「フェースセンタ」とは、水平方向には、複数のスコアライン１１３のうちの最もトウ側の伸長部１５４と最もヒール側の伸長部１５２との間の中間にあり、鉛直方向には、複数のスコアライン１１３のうちの最上の伸長部１５６と最下の伸長部１５８との間の中間にある、クラブヘッドの打撃面上の点を意味する。
【００３１】
図２を再度参照すると、打撃面１１１は、フェースセンタ１１７を含み、これを囲む、連続する架空中央領域１１９を含む。周辺領域１２１は、完全に中央領域の外に配置されている。中央領域１１９において、補助溝１１５は概ね水平である。周辺領域１２１において、補助溝１１５は傾斜している。連続的に変化する補助溝１１５のセット、例えば、フライス削りされたフェースと外観が同様である、湾曲した補助溝１１５のセット、分離した点（ドットまたはダッシュ）、または通常ヒール−トウ方向に変化するパターンをた
どる、小さい、離間した形状体（例えば、下記に説明する図５を参照のこと）などの、向きが変化する他の補助溝１１５を具現化することができる。様々な実施形態では、パターンの変化は、漸進的ではなくて急激である。補助溝１１５の向きがそのように変化することで、下記にさらに詳細に説明する特有の性能上の利点が得られる。
【００３２】
図１および図２に示すように、補助溝１１５は、ゴルフクラブヘッド１００のヒール部分１０３およびトウ部分１０１のそれぞれの近くにおいて、打撃面平面１１２で測定して水平面から約１５°である分離した直線パスをたどる。一部の実施形態では、ヒール側部分１０３およびトウ側部分１０１に最も近い補助溝１１５は、クラブヘッド１００が基準位置にある場合に、打撃面平面１１２で測定して、水平面から５°〜５０°傾斜した分離した直線パスをたどる。具体的には、トウ部分１０１に最も近い補助溝は、水平面から５°〜５０°上向きに傾き、一方、ヒール部分１０３に最も近い補助溝は、水平面から下向きに傾く。より好ましくは、およびサイドスピンがゴルフボールに付与される可能性を最小限にするか、またはなくすことを考慮して、分離した直線パスは、クラブヘッドが基準位置にある場合に、打撃面平面で測定して水平面から５°〜２０°傾斜する。上向き傾斜または下向き傾斜の角度は、トウ部分１０１および／またはヒール部分１０３の近くでほぼ一定でよいし、または変化してもよく、したがって、打撃面１１１の位置に応じて決めてもよい。
【００３３】
図２に示すように、打撃面１１１と接触するゴルフボールにスピンを付与するのに寄与するために、複数のスコアライン１１３が打撃面１１１に設けられている。複数のスコアライン１１３の第１のスコアライン１１４および第２のスコアライン１１６が示されている。しかし、第１のスコアライン１１４および第２のスコアライン１１６は、打撃面１１１上の任意の隣接するスコアライン１１３の対とすることができる。Ａ−Ａ’鉛直断面は、第１のスコアライン１１４および第２のスコアライン１１６を含む、打撃面の中央領域１１９を通る。一部の実施形態では、Ａ−Ａ’鉛直断面は、フェースセンタ１１７を通る。代替実施形態では、Ａ−Ａ’鉛直断面は、フェースセンタ１１７から横方向に離間する。Ｂ−Ｂ’鉛直断面は、Ａ−Ａ’鉛直断面から横方向に離間し、第１のスコアライン１１４および第２のスコアライン１１６を通ることを含めて、打撃面１１１の周辺領域１２１を通る。示すように、Ｂ−Ｂ’鉛直断面は、Ａ−Ａ’鉛直断面に対してトウ側である。一方、代替実施形態では、Ｂ−Ｂ’鉛直断面は、Ａ−Ａ’鉛直断面に対してヒール側である。具体的には、Ｂ−Ｂ’鉛直断面は、鉛直Ａ−Ａ’断面から横方向に距離１０ｍｍだけ離間している。一方、代替実施形態では、この距離は１０ｍｍを超えるか、または１０ｍｍ未満である。
【００３４】
図２ａの上図（１）（以下、単に図２ａ（１）と表す）は、図２のゴルフクラブヘッド１００の中央領域１１９を通るＡ−Ａ’鉛直断面のトウ側の図を示している。打撃面１１１は、打撃面平面１１２と概ね同一平面上にある。打撃面平面１１２は、最大深さを含む、各スコアライン１１３および補助溝１１５の深さが測定される基準面を画定する。図２ａの下図（２）（以下、単に図２ａ（２）と表す）で説明される詳細図に対応する強調領域２ａ（２）は、破線で示されている。
【００３５】
図２ａ（１）の強調領域２ａ（２）の拡大図である図２ａ（２）を参照すると、第１のスコアライン１１４および第２のスコアライン１１６が示されている。第１のスコアライン１１４の最下点１１８は、第１のスコアライン１１４の下側縁部、打撃面平面１１２、およびＡ−Ａ’断面が交差する点として示されている。第２のスコアライン１１６の最上点１２０は、第２のスコアライン１１６の上側縁部、打撃面平面１１２、およびＡ−Ａ’断面が交差する点として示されている。示すように、スコアライン１１６の断面輪郭は、負の丸みの付いた領域１６０および正の丸みの付いた領域１６２を含むことができる。
【００３６】
第１のパス１５０は、Ａ−Ａ’断面と打撃面１１１との交線によって、打撃面１１１に沿って第１のスコアライン１１４の最下点１１８と第２のスコアライン１１６の最上点１２０との間に形成されている。第１のパス１５０の距離λ１が、第１のスコアライン１１４の最下点１１８と、第２のスコアライン１１６の最上点１２０との間に示されている。Ａ−Ａ’断面内の隣接するスコアラインの各対間の距離は実質的に一定であるのが好ましい。しかし、代替実施形態では、隣接するスコアラインの各対を隔てる距離は異なる。距離ω１は、補助溝１１５の第１の幅である。Ａ−Ａ’断面内の各補助溝の幅は実質的に一定であるのが好ましい。しかし、代替実施形態では、そのような幅は異なる。距離ω２は、第２のスコアライン１１６の幅である。Ａ−Ａ’断面内の各スコアラインの幅は実質的に一定であるのが好ましい。しかし、代替実施形態では、そのような幅は異なる。
【００３７】
距離ｄ１は、補助溝１１５の１つの深さである。Ａ−Ａ’断面内に示す各補助溝の深さは実質的に一定である、すなわち、補助溝の形成時に使用される材料除去工程に関連する通常の許容値の範囲内であるのが好ましい。しかし、代替実施形態では、そのような深さは異なる。距離ｄ２は、第２のスコアライン１１６の深さである。Ａ−Ａ’断面に示す各スコアラインの深さは一定であるのが好ましい。しかし、代替実施形態では、そのような深さは異なる。
【００３８】
本明細書において、「占有率」という用語は、特定の鉛直断面内の特定の長さにわたる補助溝の占有率を指し、特定の鉛直断面の特定のセグメントを横切るすべての補助溝の幅の総計の、特定の鉛直断面の特定のセグメントの全長に対する比率として求められる。
【００３９】
例えば、中央領域１１９、例えば、Ａ−Ａ’断面では、複数の補助溝１１５の第１のパス１５０に沿った占有率は、１つまたは複数の実施形態では、０．１２以上である。ただし、エラストマータイプのゴルフボールと金属製打撃面との間の特有の相互作用を考慮すると、複数の補助溝１１５の第１のパス１５０に沿った占有率は、０．１７〜０．２５であるのがより好ましい。一方、特に、ゴルフボールと接触する位置に応じて、選択可能なスピン特性を有する打撃面を提供することを意図される代替実施形態では、占有率は、スピンを小さくすることを意図された領域において、０．１７未満とすることができる。
【００４０】
望ましいスピン結果をさらに得るために、一実施形態では、補助溝１１５の平均深さは１５μｍ以下である。別の実施形態では、補助溝１１５の平均深さは１２μｍ以下である。さらなる実施形態では、補助溝１１５の平均深さは、６μｍ〜１２μｍである。
【００４１】
また、一部の実施形態では、補助溝１１５の平均幅は１．０ｍｍ以下である。別の実施形態では、補助溝１１５の平均幅は０．５ｍｍ以下である。さらに別の実施形態では、補助溝の平均幅は０．２５ｍｍ以下である。別の実施形態では、補助溝１１５の平均幅は０．２０ｍｍ以下である。さらなる実施形態では、補助溝１１５の平均幅は、０．１２ｍｍ〜０．１８ｍｍである。
【００４２】
本明細書において、複数の補助溝の「出現頻度」とは、クラブヘッドの打撃面の特定の鉛直断面の特定のパスを横切るすべての補助溝の数量を指す。Ａ−Ａ’断面内の第１のパス１５０にわたる補助溝１１５の出現頻度は、０．９０溝／ｍｍ以上であるのが好ましい。より好ましくは、およびエラストマータイプのゴルフボールと金属性打撃面との間の特有の動的相互作用を考慮すると、そのような出現頻度は１．００溝/ｍｍ以上である。より好ましくは、そのような出現頻度は１．１０溝／ｍｍ以上である。さらなる実施形態では、そのような出現頻度は、１．７０溝／ｍｍ以下である。下記に説明するように、この範囲外に補助溝の出現頻度を増やす、または減らすことは、所望するボールスピンに悪影響を及ぼす。補助溝１１５の出現頻度は、打撃面１１１上でかつ単一の断面、例えば、Ａ−Ａ’断面内の複数のスコアライン１１３の任意の２つの隣接するスコアライン間で一定
であってよいし、または変わってもよく、あるいは横方向に離間した複数の断面間で変わってもよい。言い換えると、スコアライン１１３の同じまたは異なる対間の第１の出現頻度は、ゴルフクラブヘッド１００の切りとられる断面の位置に応じて、スコアライン１１３の同じ、または異なる対間の第２の出現頻度と同じでよいし、あるいは異なってもよい。ただし、一般的には、出現頻度を変えることは、別の向きの打撃面１１１に対して、スピン生成に有益な影響を及ぼす。
【００４３】
複数のスコアライン１１３の任意の２つ間の補助溝１１５の数量に関しては、一実施形態では、補助溝１１５の数量は、５つの補助溝１１５以下である。別の実施形態では、補助溝１１５の数量は、４つの補助溝１１５以下である。さらなる実施形態では、補助溝１１５の数量は、３つの補助溝１１５以上である。
【００４４】
以下の表１−１、表１−２は、出現頻度、占有率、および補助溝１１５の向きと、ロボット試験を使用したスピン生成との関係を示す、収集した性能データを示している。表１−１は、打撃面１１１の中央領域１１９の特定の断面におけるゴルフクラブヘッド１００の補助溝の出現頻度および占有率を、インパクト後のゴルフボールのスピン速度と比較した、収集した性能データを示しており、打撃面１１１の位置は各試験用クラブヘッドに対して一定である。
【００４５】
【表１】
2013043092.tif 000003
【００４６】
図２ｂの上図（１）（以下、単に図２ｂ（１）と表す）は、図２のゴルフクラブヘッド１００の周辺領域１２１を通るＢ−Ｂ’鉛直断面のトウ側の図を示している。打撃面平面１１２は、スコアライン１１３および補助溝１１５の深さが測定される基準面として示され、そのような働きをする。図２ｂの下図（２）（以下、単に図２ｂ（２）と表す）に示される詳細図に対応する強調領域２ｂ（２）は破線で示されている。
【００４７】
図２ｂ（１）の強調領域２ｂ（２）の拡大図である図２ｂ（２）を参照すると、第１のスコアライン１１４および第２のスコアライン１１６が示されている。第１のスコアライン１１４の最下点１１８は、第１のスコアライン１１４の下側縁部、打撃面平面１１２、およびＢ−Ｂ’断面が交差する点として示されている。第２のスコアライン１１６の最上点１２０は、第２のスコアライン１１６の上側縁部、打撃面平面１１２、およびＢ−Ｂ’断面が交差する点として示されている。第２のパス１２３は、Ｂ−Ｂ’断面と打撃面１１１との交線によって打撃面１１１に沿って形成され、第２のパス１２３は、第１のスコアライン１１４の最下点１１８と第２のスコアライン１１６の最上点１２０とによって範囲を限定されている。距離λ２は、第１のスコアライン１１４の最下点１１８と、第２のス
コアライン１１６の最上点１２０との間に示されている。距離ω１は、補助溝１１５の幅である。距離ω２は、第２のスコアライン１１６の幅である。距離ｄ１は補助溝１１５の深さである。距離ｄ２は、第２のスコアライン１１６の深さである。距離ω２、ｄ２は、第２のスコアライン１１６に関して示されているが、第１のスコアライン１１４、または複数のスコアライン１１３のうちの他の任意のスコアラインも、そのそれぞれの幅および深さを同じか、または異なる値とすることができる。
【００４８】
１つまたは複数の実施形態では、第１のパス１５０に沿って（すなわち、Ａ−Ａ’断面内で）、および第２のパス１２３に沿って（すなわち、Ｂ−Ｂ’断面内で）、第１のスコアライン１１４と第２のスコアライン１１６との間に存在する補助溝１１５の占有率、出現頻度、および／または数量は互いに異なる。上記のように、占有率のこの相違により、ゴルフボールをインパクトしたときに、ゴルフクラブヘッド１００の向きに応じてスピン生成が変わる。具体的には、同じ第１のスコアライン１１４と第２のスコアライン１１６との間で、Ｂ−Ｂ’断面を横切る補助溝の占有率は、Ａ−Ａ’断面を横切る補助溝の占有率未満であるのが好ましい。具体的には、そのような占有率は０．１８以下である。より好ましくは、そのような占有率は、０．０５〜０．１８である。さらにより好ましくは、そのような占有率は、０．１２〜０．１６であり、最も好ましくは、０．１５にほぼ等しい。
【００４９】
同様に、Ｂ−Ｂ’断面内の第２のパス１２３を横切るすべての補助溝１１５の出現頻度は、Ａ−Ａ’断面内の第１のパスを横切るすべての補助溝１１５の出現頻度未満である。具体的には、そのような出現頻度は、１．３０溝／ｍｍ以下であるのが好ましい。より好ましくは、そのような出現頻度は、０．５０溝／ｍｍ〜１．１５溝／ｍｍである。さらにより好ましくは、そのような出現頻度は、０．８５溝／ｍｍ〜１．０５溝／ｍｍであり、最も好ましくは、０．９５溝／ｍｍ〜１．０５溝／ｍｍである。同様に、Ｂ−Ｂ’断面内の第２のパスを横切る補助溝の単なる数量は、Ａ−Ａ’断面の第１のパスを横断する数量未満であり、一部の実施形態では、４つ未満である。
【００５０】
表１−２は、複数のスコアラインはあるが、補助溝のない打撃面を有する第１のゴルフクラブヘッドと、第１のゴルフクラブヘッドと同一であるが、図１および図２に示すパターンをたどる補助溝を有する第２のゴルフクラブヘッドとの性能データを含む。「…スピン速度の変化」は、クラブヘッドをスクエアにしたロボット試験によるショット（すなわち、通常のショット）と、同じスイング速度で、クラブヘッドをかなりオープンフェースに向けたロボット試験によるショット（すなわち、フロップショット）との間の、測定したバックスピンの変化を示している。スコアライン１１３のみを有するゴルフクラブヘッド１００で、打撃面１１１をオープンにすると、生じるスピン量は、通常のショットよりも３１６ｒｐｍ少ない。一方、図１に示すような角度付き−一直線−角度付きの向きにある補助溝１１５を有するゴルフクラブヘッド１００の場合、フロップショットで生じるスピンの量は、実際に２３ｒｐｍだけ増えている。したがって、フロップショット時に、スコアライン１１３のみを有するゴルフクラブヘッド１００と、補助溝１１５を有するゴルフクラブヘッド１００との間で、スピン生成性能が３３９ｒｐｍだけ改善されている。
【００５１】
【表２】
2013043092.tif 000004
【００５２】
図３は、打撃面平面１１２が紙面内にあるように向きを合わされた、図１および図２のゴルフクラブヘッド１００を示し、さらなる細部を示している。第１の架空鉛直面１３０、第２の架空鉛直面１３２、第３の架空鉛直面１３４、および第４の架空鉛直面１３６はそれぞれ、打撃面１１１の一部を通り、複数のスコアライン１１３の一部を通っている。第１の架空面１３０および第２の架空面１３２は、互いに１０ｍｍだけ離間している。第３の架空面１３４および第４の架空面１３６も互いに１０ｍｍ離間し、第１の架空鉛直面１３０および第２の架空鉛直面１３２に対して共にトウ側に配置されている。図３ａにさらに詳細に示す選択部分として、強調領域３ａも示されている。
【００５３】
図３ａは、図３の強調領域３ａを示しており、第１のスコアライン１１４、第２のスコアライン１１６、および補助溝１１５が見える打撃面１１１の部分に関して、図が拡大されている。第１の架空面１３０、第２の架空面１３２、第３の架空面１３４、および第４の架空面１３６も示されている。図３ｂの上図、図３ｃの上図でさらに詳細に示す強調選択部分３ｂ、３ｃは、それぞれ破線で示されている。
【００５４】
図３ｂの上図は、第１のスコアライン１１４と第２のスコアライン１１６との間で、かつ第３の架空鉛直面１３４と第４の架空鉛直面１３６との間の複数の補助溝１１５の平均占有率がどのようにして測定されるかを示す、図３ａの強調された部分（強調選択部分３ｂ）の拡大図を示している。本明細書において、複数の補助溝、例えば、補助溝１１５の「平均占有率」とは、特定の第１および第２の架空鉛直面間であって、かつ互いに隣接する特定の第１および第２のスコアライン間で、１ｍｍ間隔で行われる複数の占有率測定の平均を指す。
【００５５】
したがって、第１のスコアライン１１４と第２のスコアライン１１６との間で、かつ第３の架空鉛直面１３４と第４の架空鉛直面１３６との間の、複数の補助溝１１５の平均占有率を求めるために（図３ｂの上図を参照のこと）、ｌ０が第４の架空鉛直面１３６に沿って行われ、その後、第３の架空鉛直面１３４に達するまで、各連続する占有率測定ｌ１、ｌ２、…、ｌｎが１ｍｍ間隔で行われるように、占有率測定を１ｍｍ間隔で行う。
【００５６】
例示的な占有率測定が、Ｃ−Ｃ’断面内のｌ５で行われている。図３ｂの下図（１）は、第１のスコアライン１１４および第２のスコアライン１１６を示し、複数の補助溝１１５のうちのこの特定の断面を横切る３つの補助溝を有するＣ−Ｃ’断面のトウ側の図である。横切る補助溝の幅は、ω３、ω４、およびω５で示されている。Ｃ−Ｃ’断面は、第１のスコアライン１１４と第２のスコアライン１１６との間の距離がｌ５である位置で切り取られている。したがって、Ｃ−Ｃ’断面での補助溝１１５の占有率は、（ω３＋ω４＋ω５）／ｌ５として算出される。第１のスコアライン１１４、第２のスコアライン１１６、第１の架空鉛直面１３０、および第２の架空鉛直面１３２によって範囲を限定される領域内の補助溝１１５の平均占有率は、図３ｃの下図（１）に示すように、同様の態様で測定され、例示的な占有率測定ｌ５がＤ−Ｄ’鉛直断面で行われている。
【００５７】
第１のスコアライン１１４と第２のスコアライン１１６との間、かつ第３の架空鉛直面１３４と第４の架空鉛直面１３６との間（図３ｂの上図を参照のこと）で測定された複数の補助溝１１５の平均占有率をＣ２で表す。第１のスコアライン１１４と第２のスコアライン１１６との間、かつ第１の架空鉛直面１３０と第２の架空鉛直面１３２との間（図３ｃの上図を参照のこと）で測定された複数の補助溝１１５の平均占有率をＣ１で表す。
【００５８】
好ましくは、Ｃ１は０．１５以上である。より好ましくは、Ｃ１は０．１８〜０．２５であり、最も好ましくは約０．２０である。好ましくは、Ｃ２は０．２０以下である。より好ましくは、Ｃ２は０．１２〜０．１８であり、最も好ましくは約０．１５である。好ましくは、Ｃ１およびＣ２には、Ｃ１がＣ２よりも大きいという関係がある。より具体的には、Ｃ１は、好ましくは、少なくとも０．２５、より好ましくは、少なくとも０．３５だけＣ２よりも大きい。それに代えて、またはそれに加えて、占有率比Ｃ２／Ｃ１は０．８５以下である。別の実施形態では、占有率比Ｃ２／Ｃ１は０．８０以下である。さらに別の実施形態では、比率Ｃ２／Ｃ１は、０．７０〜０．８０である。それに代えて、またはそれに加えて、打撃面１１１のフェースセンタ１１７は、第１のスコアライン１１４、第２のスコアライン１１６、第１の架空鉛直面１３０、および第２の架空鉛直面１３２によって限定される領域内に配置される。
【００５９】
図４では、図１のゴルフクラブヘッド１００が、さらに細部を図解して示されている。示すように、打撃面１１１の打撃面平面１１２は紙面内にある。複数のスコアライン１１３は打撃面１１１に配置されている。複数のスコアライン１１３は、最もヒール側の伸長部１５２、最もトウ側の伸長部１５４、最上の伸長部１５６、および最下の伸長部１５８を含む。第５の架空鉛直面１３８は打撃面平面１１２に対して垂直であり、複数のスコアライン１１３の最もヒール側の伸長部１５２を通っている。第６の架空鉛直面１４０は打撃面平面１１２に対して垂直であり、複数のスコアライン１１３の最もトウ側の伸長部１５４を通っている。第７の架空鉛直面１４２は打撃面平面１１２に対して垂直であり、フェースセンタ１１７を通っている。複数の補助溝１１５も打撃面に配置され、一部の実施形態では、複数のスコアライン１１３から完全に離間している。補助溝１１５をスコアライン１１３から完全に離間させることで、補助溝１１５は、スコアライン１１３の摩擦機能を可能にする構造を阻害せず、補助溝１１５は、スコアラインの構造上の完全性も阻害しない。具体的には、そのような間隔により、スコアラインの縁部のまわりに応力領域が意図せず発生することがなくなり、かつ／または摩耗を受けやすい意図しない鋭利な領域がなくなる。あるいは、そのような間隔により、それ自体で製造コストを上げ、設計の精度を低下させ、スコアライン１１３の摩擦機能を可能にする利益に悪影響を及ぼすことがある、スコアライン１１３の縁部のまわりのさらなる研削、および／または研磨の必要性が低減される。
【００６０】
補助溝１１５は、補助溝パターンが、例えば、水平の離間した溝から、大地面に対して傾斜した、クラブヘッド１００のヒール部分１０３に最も近い離間した溝に移行する第１
の移行位置１４６を画定する。第２の移行位置１４８で、補助溝パターンは、水平の離間した溝から、大地面に対して傾斜した、クラブヘッド１００のトウ部分１０１に最も近い離間した溝に再度移行する。一部の実施形態では、移行位置１４６、１４８のいずれか、または両方は、打撃面平面１１２と打撃面平面１１２に対して垂直な鉛直面との交線に位置する。代替の実施形態では、移行位置１４６、１４８のいずれか、または両方は、スコアライン１１３の伸長方向に対して傾斜した直線パスに沿って位置する。代替実施形態では、移行位置１４６、１４８のいずれか、または両方は、打撃面平面１１２に沿った全体的に曲線をなすパスをたどる。
【００６１】
第８の架空鉛直面１４４は、打撃面平面１１２に対して垂直であり、移行位置１４６と同一平面上にある。第９の架空鉛直面１４５は、打撃面平面１１２に対して垂直であり、移行位置１４８と同一平面上にある。
【００６２】
複数のスコアライン１１３の幅Ｗは、複数のスコアライン１１３の最もヒール側の伸長部１５２と最もトウ側の伸長部１５４との間の横方向距離を表す。幅Ｗは、３５ｍｍ〜６５ｍｍの範囲内であるのが好ましく、より好ましくは４５ｍｍ〜５５ｍｍ、最も好ましくは約５０ｍｍである。第５の架空鉛直面１３８および第８の架空鉛直面１４４は距離Ｌ５だけ離間している。距離Ｌ５は、１２ｍｍ〜１８ｍｍであるのが好ましく、より好ましくは約１５ｍｍである。第７の架空鉛直面１４２および第８の架空鉛直面１４４は距離Ｌ３だけ離間している。距離Ｌ３は、６ｍｍ〜１４ｍｍであるのが好ましく、より好ましくは約１０ｍｍである。第７の架空鉛直面１４２および第９の架空鉛直面１４５は距離Ｌ２だけ離間している。距離Ｌ２は、６ｍｍ〜１４ｍｍであるのが好ましく、より好ましくは約１０ｍｍである。第６の架空鉛直面１４０および第９の架空鉛直面１４５は距離Ｌ４だけ離間している。距離Ｌ４は、１２ｍｍ〜１８ｍｍであるのが好ましく、より好ましくは約１５ｍｍである。
【００６３】
様々な実施形態では、第７の架空面１４２は、第５の架空面１３８と第６の架空面１４０との間で等距離にある。すなわち、Ｌ５＋Ｌ３＝Ｌ４＋Ｌ２である。それに加えて、またはそれに代えて、第８の架空面１４４および第９の架空面１４５は、第７の架空面１４２から距離Ｄだけ離間している。一部の実施形態では、距離Ｄは、０．１０＊Ｗ〜０．４５＊Ｗであるのが好ましい。
【００６４】
様々な実施形態では、中央領域は、第８の架空鉛直面１４４および第９の架空鉛直面１４５によって範囲を限定され、ヒール領域は、第５の架空鉛直面１３８および第８の架空鉛直面１４４によって範囲を限定され、トウ領域は、第６の架空鉛直面１４０および第９の架空鉛直面１４５によって範囲を限定される。一部の実施形態では、補助溝１１５の少なくとも１つは、中央領域内にある、大地面を基準としてほぼ水平なパスをたどる。
【００６５】
図５は、トウ部分２０１、ヒール部分２０３、上部部分２０５、底部部分２０７、およびヒール部分２０３に最も近いホーゼル２０９を有するゴルフクラブヘッド２００を示している。ゴルフクラブヘッド２００はまた、複数のスコアライン２１３と、複数のスコアライン２１３間に散在する複数のテクスチャ要素、または補助溝２１５とがある打撃面２１１を有する。この実施形態では、複数のテクスチャ要素２１５は、加えられた表面テクスチャからなる一連の分離した領域である。示すように、テクスチャ要素は、「ダッシュ状の」要素セットの形態をとる。しかし、代替実施形態では、テクスチャ要素は、円形形状の要素、長方形形状の要素、正方形形状の要素、三角形形状の要素、六角形形状の要素、またはそれらの任意の組み合わせを含む、任意の多角形形状を含むことができる。それに代えて、またはそれに加えて、テクスチャ要素は不規則形状の要素を含む。テクスチャ要素２１５は、図１に示す実施形態の補助溝に関して説明したものと同様な工程によって形成されるのが好ましい。特に、テクスチャ要素は、レーザミリング操作で形成される熱
処理領域を含むのが好ましい。さらに、テクスチャ要素は、図１〜４の実施形態に関連して説明した補助溝１１５と同様な深さであるのが好ましい。
【００６６】
第１の架空鉛直面２１９は、打撃面２１１の中央領域を通るとして示されている。第２の架空鉛直面２２１は、打撃面２１１のトウ側領域を通るとして示されている。第３の架空鉛直面２２３は、打撃面２１１のヒール側領域を通るとして示されている。テクスチャ要素２１５は、中央領域においてほぼ水平である。テクスチャ要素２１５は、ヒール側およびトウ側領域のそれぞれで水平の向きから外れて、例えば、打撃面平面において、大地面に対して傾斜している。テクスチャ要素２１５は、図１および図２の実施形態に関連して説明し、そのような実施形態に関して打撃面上の対応する位置で規定した値と同様な出現頻度値、占有率値、および平均占有率値を含むように構成されるのが好ましい。
【００６７】
本発明が、現時点でのその好ましい態様に関連して説明されたが、次に続く添付の特許請求の範囲に記載される場合を除いて、前述のものに限定されることを意図しない本発明の趣旨および範囲から逸脱することなく、多数の変更、修正、および等価物での代用が可能であると当業者には分かるであろう。
【符号の説明】
【００６８】
１００、２００  ゴルフクラブヘッド
１０１、２０１  トウ部分
１０２  大地面
１０３、２０３  ヒール部分
１０４  架空鉛直ホーゼル面
１０５、２０５  上部部分
１０７、２０７  底部部分
１０９、２０９  ホーゼル
１１０  ホーゼル中心線
１１１、２１１  打撃面
１１２  打撃面平面
１１３、２１３  スコアライン
１１４  第１のスコアライン
１１５、２１５  補助溝
１１６  第２のスコアライン
１１８  第１のスコアラインの最下点
１１９  架空中央領域
１２０  第２のスコアラインの最上点
１２１  周辺領域
１２３  第２のパス
１３０  第１の架空鉛直面
１３２  第２の架空鉛直面
１３４  第３の架空鉛直面
１３６  第４の架空鉛直面
１３８  第５の架空鉛直面
１４０  第６の架空鉛直面
１４２  第７の架空鉛直面
１４４  第８の架空鉛直面
１４５  第９の架空鉛直面
１５２  最もヒール側の伸長部
１５４  最もトウ側の伸長部
１５６  最上の伸長部
１５８  最下の伸長部
１６０  負の丸みの付いた領域
１６２  正の丸みの付いた領域
２１９  第１の架空鉛直面
２２１  第２の架空鉛直面
２２３  第３の架空鉛直面
【図１】
2013043092.tif 000005
【図１ａ】
2013043092.tif 000006
【図２】
2013043092.tif 000007
【図２ａ】
2013043092.tif 000008
【図２ｂ】
2013043092.tif 000009
【図３】
2013043092.tif 000010
【図３ａ】
2013043092.tif 000011
【図３ｂ】
2013043092.tif 000012
【図３ｃ】
2013043092.tif 000013
【図４】
2013043092.tif 000014
【図５】
2013043092.tif 000015